(57)【要約】【課題】組み付け作業性を向上させることが可能な表示装置を提供する。【解決手段】透視部１２を有するハウジング１と、透視部１２を通じて視認可能に配置される表示パネル２と、表示パネル２を保持するホルダー３と、回路基板４，５と、ハウジング１を閉塞するカバー７と、このカバー７とハウジング１とで形成される空間内に表示パネル２とホルダー３と回路基板４，５を収納した状態でハウジング１とホルダー３とカバー７とを固定するネジ８とを備えてなる表示装置において、回路基板４，５がネジ８を通じてハウジング１とホルダー３とカバー７に固定されてなる。【選択図】図２
2009079962.tif 000002
【特許請求の範囲】
【請求項１】
透視部を有するハウジングと、
前記透視部を通じて視認可能に配置される表示パネルと、
前記表示パネルを保持するホルダーと、
回路基板と、
前記ハウジングを閉塞するカバーと、
このカバーと前記ハウジングとで形成される空間内に前記表示パネルと前記ホルダーと前
記回路基板を収納した状態で前記ハウジングと前記ホルダーと前記カバーとを固定するネ
ジとを備えてなる表示装置において、
前記回路基板が前記ネジを通じて前記ハウジングと前記ホルダーと前記カバーに固定され
てなること特徴とする表示装置。
【請求項２】
前記回路基板が少なくとも第１の回路基板と第２の回路基板とに分割されると共に、これ
ら回路基板間に介装されるスペーサ部材を備え、前記第１，第２の回路基板の双方と前記
スペーサ部材が前記ネジを通じて前記ハウジングと前記ホルダーと前記カバーに固定され
てなること特徴とする請求項１記載の表示装置。
【請求項３】
前記スペーサ部材と前記ホルダー、もしくは前記スペーサ部材と前記カバーの少なくとも
一方が柔軟性ヒンジ部を通じて連続することを特徴とする請求項２記載の表示装置。
【発明の詳細な説明】
【技術分野】
【０００１】
本発明は、例えば自動車、オートバイ、農建機からなる車両に搭載される表示装置に関するものである。
【背景技術】
【０００２】
この種の表示装置として、例えば下記特許文献１に記載されているものが知られている。この表示装置は、透視部を有するハウジングと、透視部を通じて視認可能に配置される表示パネルと、表示パネルを保持するホルダーと、回路基板と、ハウジングを閉塞するカバーと、このカバーとハウジングとで形成される空間内に表示パネルとホルダーと回路基板を収納した状態でハウジングとホルダーとカバーとを固定するネジとを備えてなる。
【特許文献１】特開２００５−１８９４５３号公報
【発明の開示】
【発明が解決しようとする課題】
【０００３】
しかしながら前記特許文献記載の表示装置は、ハウジング、ホルダー、カバーの三者はネジにより固定されるが、回路基板はこれら三者を固定するネジとは別の固定手段にてホルダーに固定されるため、固定箇所が分散しており、組み付け作業性やスペース確保の点で難点があり、改良が望まれていた。
【０００４】
本発明はこの点に着目してなされたもので、その主な目的は、組み付け作業性を向上させることが可能な表示装置を提供することにある。
【課題を解決するための手段】
【０００５】
本発明は、前述した課題を解決するため、透視部を有するハウジングと、前記透視部を通じて視認可能に配置される表示パネルと、前記表示パネルを保持するホルダーと、回路基板と、前記ハウジングを閉塞するカバーと、このカバーと前記ハウジングとで形成される空間内に前記表示パネルと前記ホルダーと前記回路基板を収納した状態で前記ハウジングと前記ホルダーと前記カバーとを固定するネジとを備えてなる表示装置において、前記回路基板が前記ネジを通じて前記ハウジングと前記ホルダーと前記カバーに固定されてなること特徴とする。
【０００６】
また本発明は、前記回路基板が少なくとも第１の回路基板と第２の回路基板とに分割されると共に、これら回路基板間に介装されるスペーサ部材を備え、前記第１，第２の回路基板の双方と前記スペーサ部材が前記ネジを通じて前記ハウジングと前記ホルダーと前記カバーに固定されてなること特徴とする。
【０００７】
また本発明は、前記スペーサ部材と前記ホルダー、もしくは前記スペーサ部材と前記カバーの少なくとも一方が柔軟性ヒンジ部を通じて連続することを特徴とする。
【発明の効果】
【０００８】
本発明によれば、組み付け作業性を向上させることが可能な表示装置を提供することができる。
【発明を実施するための最良の形態】
【０００９】
以下、添付図面に基づいて、本発明を適用した表示装置の実施形態を説明する。
【００１０】
図１、図２は、本発明の一実施形態を示すもので、図１は本実施形態による表示装置の正面図、図２は図１のＡ−Ａ断面図である。
【００１１】
図１、図２において、本実施形態による表示装置は、ハウジング１と、表示パネル２と、ホルダー３と、第１，第２の回路基板４，５と、スペーサ部材６と、カバー７と、ネジ８とを備えている。
【００１２】
ハウジング１は、遮光性合成樹脂からなる遮光部１１と無色透明な透光性合成樹脂からなる透視部１２とを備える有底枠体からなる。
【００１３】
遮光部１１の裏側には、ネジ８に沿って突出するボス部１３が形成され、このボス部１３の中心にネジ８の先頭部分が回転挿入されるネジ止め部１４が形成されている。
【００１４】
表示パネル２は、例えば液晶表示パネルからなり、透視部１２を通じて例えば各種計測値を表示する。
【００１５】
ホルダー３は、例えば乳白色の合成樹脂からなり、表示パネル２を保持する。
【００１６】
このホルダー３のボス部１３対応領域には、ボス部１３に重ねられる取付部３１が形成され、この取付部３１にはネジ８に対応する第１のネジ挿通部３２が形成される。
【００１７】
またこのホルダー３は、柔軟性ヒンジ部３３を通じてスペーサ部材６と連続する。
【００１８】
第１の回路基板４は、表示パネル２を電気的に機能させるもので、ホルダー３の背面に配置される。
【００１９】
この回路基板４には、第１のネジ挿通部３２に対応する第２のネジ挿通部４１が形成される。
【００２０】
第２の回路基板５も第１の回路基板４と同機能を持つが、平面方向の寸法を小さくするために第１の回路基板４と分割され、スペーサ部材６を介して第１の回路基板４と積層配置されている。
【００２１】
この回路基板５には、第２のネジ挿通部４１に対応する第３のネジ挿通部５１が形成される。
【００２２】
スペーサ部材６は、ホルダー３と同じ合成樹脂からなり、柔軟性ヒンジ部３３を通じてホルダー３と連続している。
【００２３】
このスペーサ部材６には、第２，第３のネジ挿通孔４１，５１に対応する第４のネジ挿通部６１が形成される。
【００２４】
カバー７は、ホルダー３及びスペーサ部材６と同じ合成樹脂からなり、ハウジング１の開口部を塞ぐと共に、ハウジング１との間で表示パネル２と、ホルダー３と、第１，第２の回路基板４，５と、スペーサ部材６を収納する空間を形成する。
【００２５】
このカバー７には、第４のネジ挿通部６１に対応する第５のネジ挿通部７１が形成される。
【００２６】
またこのカバー７は、柔軟性ヒンジ部７２を通じてスペーサ部材６と接続され、これにより、カバー７とスペーサ部材６とホルダー３は、各柔軟性ヒンジ部３３，７２を通じて連続する単一部品となるものである。
【００２７】
このように構成される表示装置は、ハウジング１のネジ止め部１４、ホルダー３の第１のネジ挿通部３２、第１の回路基板４の第２のネジ挿通部４１、スペーサ部材６の第４のネジ挿通部６１、第２の回路基板５の第３のネジ挿通部５１、カバー７の第５のネジ挿通部７１のそれぞれを位置合わせし、第１のネジ挿通部３２〜第５のネジ挿通部７１を挿入したネジ８をネジ止め部１４に回転挿入し固定することで、共通のネジ８を通じてハウジング１と、表示パネル２を保持したホルダー３と、第１，第２の回路基板４，５と、スペーサ部材６と、カバー７とが組み付け固定される。なおこのようなネジ８とネジ止め部１４、第１のネジ挿通部３２〜第５のネジ挿通部７１による固定箇所は、対角線上に２カ所設定される。
【００２８】
以上のように本実施形態では、透視部１２を有するハウジング１と、透視部１２を通じて視認可能に配置される表示パネル２と、表示パネル２を保持するホルダー３と、回路基板４，５と、ハウジング１を閉塞するカバー７と、このカバー７とハウジング１とで形成される空間内に表示パネル２とホルダー３と回路基板４，５を収納した状態でハウジング１とホルダー３とカバー７とを固定するネジ８とを備えてなる表示装置において、回路基板４，５がネジ８を通じてハウジング１とホルダー３とカバー７に固定されてなることにより、ハウジング１、ホルダー３、カバー７、回路基板４，５の少なくとも四者を共通のネジ８により固定できるため、固定箇所を集約でき、これにより組み付け作業性を向上させ、またスペース確保の点でも有利となすことができる。
【００２９】
また本実施形態では、回路基板４，５を第１の回路基板４と第２の回路基板５とに分割すると共に、これら回路基板４，５間に介装されるスペーサ部材６を備え、第１，第２の回路基板４，５の双方とスペーサ部材６がネジ８を通じてハウジング１とホルダー３とカバー７に固定されてなることにより、回路基板を複数の分割する場合でも固定箇所を集約でき、これにより組み付け作業性を向上させ、またスペース確保の点でも有利となすことができる。
【００３０】
また本実施形態では、スペーサ部材６とホルダー３とカバー７とが柔軟性ヒンジ部３３，７２を通じて連続することにより、部品点数の削減を可能とし、コストダウンを達成することができる。なおこのようなヒンジ接続は、スペーサ部材６とホルダー３、もしくはスペーサ部材６とカバー７の少なくとも一方に適用することもできる。
【図面の簡単な説明】
【００３１】
【図１】本発明の一実施形態による表示装置の正面図。
【図２】図１のＡ−Ａ断面図。
【符号の説明】
【００３２】
１  ハウジング
２  表示パネル
３  ホルダー
４，５  第１，第２の回路基板
６  スペーサ部材
７  カバー
８  ネジ
１１  遮光部
１２  透視部
１３  ボス部
１４  ネジ止め部
３１  取付部
３２  第１のネジ挿通部
３３  柔軟性ヒンジ部
４１  第２のネジ挿通部
５１  第３のネジ挿通部
６１  第４のネジ挿通部
７１  第５のネジ挿通部
７２  柔軟性ヒンジ部
【図１】
2009079962.tif 000003
【図２】
2009079962.tif 000004